(57)【特許請求の範囲】
【請求項１】
外装体（２Ａ、２Ｃ）内に熱交換器（４）を収納し、この外装体（２Ａ、２Ｃ）の背面側に前記熱交換器（４）から延びる補助冷媒管（１３）を収納する収納空間（１０）を設けると共に、この収納空間（１０）に面した背面側の外装体（２Ｃ）に断熱材（１１）を取付ける構成の空気調和機において、
前記補助冷媒管（１３）を前記収納空間（１０）の外で押える配管押え（１４）を備えると共に、この配管押え（１４）に前記断熱材（１１）の一端を押える押え部（１５）を設け、
前記背面側の外装体（２Ｃ）の一端部には、前記断熱材（１１）の他端を止める止め部（２０）を外装体（２Ｃ）と一体に設け、
前記補助冷媒管（１３）を前記収納空間（１０）内で押える補助配管押え（１２）を備えると共に、この補助配管押え（１２）に前記断熱材（１１）の中間部分を押える押え部（１２Ｂ）を設け、
前記断熱材（１１）は、それの一端が配管押え（１４）の押え部（１５）で押えられ、他端が外装体（２Ｃ）と一体の止め部（２０）で押えられ、かつ、中間部が補助配管押え（１２）の押え部（１２Ｂ）で押えられて、前記外装体（２Ｃ）の収容空間（１０）内に取付けられる構成としたことを特徴とする空気調和機。
【発明の詳細な説明】
【０００１】
【発明の属する技術分野】
この発明は、外装体の背面側に冷媒管収納用の空間を形成し、この空間を形成する外装体に断熱材を取付けている空気調和機に関する。
【０００２】
【従来の技術】
外装体の背面側に断熱材を取付けている空気調和機は、例えば、実開平４-４６６３４号公報に記載されたものがある。この公報に記載のものは、外装体の背面側に断熱材をネジ止めした空気調和機が記載されている。そして、この断熱材が設けられているため、この外装体の外側が断熱されていて、この外装体の外側には水滴がつきにくくなっている。
【０００３】
【発明が解決しようとする課題】
前述した空気調和機では、断熱材を取付けるためにネジ止めを複数箇所行っていたので、ネジ止めに時間や手間がかかり、組立作業性が悪いという欠点があった。しかも、ネジを用いているので、送風ファンが回転しているときの振動が伝わりやすい空気調和機を永年使用している際にネジが緩む恐れも生じる。
【０００４】
この発明は、組立作業性の良い空気調和機を提供するものである。
【０００５】
【課題を解決するための手段】
前記課題を解決するために、請求項１に記載の発明は、外装体（２Ａ、２Ｃ）内に熱交換器（４）を収納し、この外装体（２Ａ、２Ｃ）の背面側に前記熱交換器（４）から延びる補助冷媒管（１３）を収納する収納空間（１０）を設けると共に、この収納空間（１０）に面した背面側の外装体（２Ｃ）に断熱材（１１）を取付ける構成の空気調和機において、前記補助冷媒管（１３）を前記収納空間（１０）の外で押える配管押え（１４）を備えると共に、この配管押え（１４）に前記断熱材（１１）の一端を押える押え部（１５）を設け、前記背面側の外装体（２Ｃ）の一端部には、前記断熱材（１１）の他端を止める止め部（２０）を外装体（２Ｃ）と一体に設け、前記補助冷媒管（１３）を前記収納空間（１０）内で押える補助配管押え（１２）を備えると共に、この補助配管押え（１２）に前記断熱材（１１）の中間部分を押える押え部（１２Ｂ）を設け、前記断熱材（１１）は、それの一端が配管押え（１４）の押え部（１５）で押えられ、他端が外装体（２Ｃ）と一体の止め部（２０）で押えられ、かつ、中間部が補助配管押え（１２）の押え部（１２Ｂ）で押えられて、前記外装体（２Ｃ）の収容空間（１０）内に取付けられる構成としたことを特徴とする。
【０００６】
【０００７】
【０００８】
【０００９】
【００１０】
【発明の実施の形態】
本発明の空気調和機の実施例を図面に基き説明する。図１に示す１は分離型空気調和機の室内機（空気調和機）で、図示しない室外機とユニット間配管で接続されるものである。
【００１１】
この室内機１の外装体は、前面側の外装体２Ａと、この外装体に着脱自在に取付けられる吸込グリル２Ｂと、背面側の外装体２Ｃとで構成されている。３は据付板で、この据付板は室内壁の上部に取付けられ、この据付板に前記室内機１が引掛けられて据付けられるものである。４は熱交換器で、冷房運転やドライ運転時に冷却器として機能し、暖房運転時には加熱器として機能するものである。５は空気清浄フィルタの保持部、６はドレンパン、７はクロスフローファン、８は縦羽根とも呼ばれている風向変更羽根、９は横羽根とも呼ばれている風向変更羽根、１０は収納空間で、梱包時や左配管時に熱交換器４から延びた補助冷配管が収納される。１１はこの収納空間１０の外装体２Ｃに取付けられる断熱材である。
【００１２】
尚、空気清浄フィルタや、このフィルタと吸込グリルとの間に配置されるエアフィルタは図示しない。
【００１３】
１２は補助配管押えで、収納空間１０の中間部分で補助冷媒管１３を押えるものである。また、この補助冷媒管１３と室内機１の左側からのユニット間配管とをつなぐ場合には、据付板３の引掛片３Ａに室内機１を引掛けている状態で、この補助配管押え１２を回動させて据付板３に突っ張らせることによって、室内機１を据付板３から浮かせることができ、室内機１と据付板３との間を作業空間として利用することができるようになっている。
【００１４】
図２に示す１４は配管押えで、熱交換器４から延びた補助冷媒管１３を収納空間１０外で押えるものである。１５はこの配管押えの右下部に形成された押え部で、この押え部で図２に示すように室内機背面側から見て断熱材１１の左側上部１１Ａを押えるようにしている。１６は取付け用の開口で、この開口に背面側の外装体２Ａに設けた爪１７が嵌り込むように配管押え１４を外装体に取付けることによって、配管押え１４が外装体２Ｃに取付けられる（図５参照）。
【００１５】
また、１８は配管押え１４に形成されているネジ孔で、このネジ孔にネジを挿入しボス１９にネジ止めすることができるようになっている。このため、前記爪１７が欠けるようなことがあっても、ネジ止めにより配管押え１４を外装体２Ｃに取付けることもできるようになっている。
【００１６】
図４において、この図面の下側が室内機１の背面側、図の上側が室内機の前面側に相当し、断熱材１１の取付けの際には断熱材１１は図４の下側から上側に向けて、つまり背面側から前面側に向けて挿入され（図４の黒い矢印参照）、その際に止め部２０が白い矢印方向に弾性変形するため断熱材１１を容易に挿入することができるようになっている。この断熱材１１を所定の位置にまで挿入すると、図４に示すように、止め部２０が断熱材１１の右側上端部１１Ｂを押えるので、断熱材１１を外れないようにすることができる。前記止め部２０は、図２及び図４に示すように、背面側の外装体（２Ｃ）一端部（図２では右端部）にその外装体（２Ｃ）と一体に設けられている。
【００１７】
図２に示す２Ｄは外装体２Ｃの下部に設けられた２カ所の押え部で、図１に示すように断熱材１１の下部１１Ｃを押えている。
【００１８】
図３に示す１１Ｄは断熱材１１に形成された開口で、断熱材１１を収納空間１０に取付けられた際に、外装体２Ｃに形成された支持部がこの開口１１Ｄを貫通するようになっている。このため、この支持部２Ｅにより、図２に示すように背面側から室内機を見て左右、上下方向のずれを防止している。また、１１Ｅは開口である。
【００１９】
図６に示す支持部２Ｅは、補助配管押え１２の軸１２Ａを支持するためのものである。２Ｆは太い軸１２Ｂ（押え部）をガイドするためのガイドで、このガイドは断熱材の開口１１Ｅを貫通している。２Ｇは補助配管押え１２が軸方向にずれるのを防止するための支持具で、太い軸１２Ｂの中央部１２Ｃを支持している。
【００２０】
このように構成された空気調和機は、その外装体２Ｃの背面側の収納空間１０には、断熱材１１が取付けられる。この断熱材１１が取付けられていないと冷房運転やドライ運転時にこの外装体の外表面に露のつく恐れがあり、この断熱材の取付けは非常に重要である。
【００２１】
この断熱材１１の取付け方は断熱材１１の下端が押え部２Ｄと外装体２Ｃとの間に嵌り込むようにやや斜めに挿入する。そして、支持部２Ｅとガイド２Ｆとが、それぞれの開口１１Ｄ、１１Ｅに嵌り込むようにして所定の位置に断熱材１１を配置する。この断熱材１１の挿入時において、右側端部の止め部２０は弾性変形するので、それほど大きな力を必要とせず、また、断熱材１１が所定の位置に配置されると弾性変形していた止め部が元に戻り、図４に示すように断熱材１１の右側上部１１Ｂが押えられる。
【００２２】
次に、補助配管押え１２を支持部２Ｅに取付ける。配管押え１２の長い方の軸（図２、図６においては右側の軸）１２Ａを支持部２Ｅの孔に挿入する。太い軸１２Ｂの部分が支持部２Ｅに当たるまで挿入した後、反対側の短い部分の軸１２Ａをこの軸を支持する孔２Ｅに挿入する。そのとき、支持具２Ｇが当たって軸の挿入を行いにくくなるので、この支持具をやや持ち上げて支持具２Ｇが当たらないようにしてこの作業を行うと、作業を行い易くなる。補助配管押え１２を取付けると、この押えの軸１２Ｂで断熱材１１が押えられて、断熱材１１が保持された状態となる（図１参照）。
【００２３】
最後に、配管押え１４を取付ける。配管押え１４の開口１６に爪１７が挿入されるように取付けると、図５に示すようにその爪１７と支持部１７Ａとの間で配管押え１４が挟まれて取付けられる。このとき、配管押え１４の押え部１５が自然と断熱材１１の左側上部の位置になり、この押え部１５が断熱材１１を押えることになる。
【００２４】
従って、断熱材１１は、図２に示すように室内機の背面側から見て、断熱材の右側上部が止め部２０で押えられ、断熱材の下側は２カ所の止め部２Ｄで押えられ、断熱材の上部側の中間部は補助配管押え１２の軸１２Ｂで押えられ、左側上部は配管押え１４の押え部１５で押えられている。よって、合計５カ所で断熱材１１を押えることによって、断熱材１１を外装体２Ｃに取付けている。
【００２５】
このように、断熱材はネジ止めされていないので、ネジ止めに要する時間ほど長い時間を必要とせず、断熱材の取付けを容易にすることができる。
【００２６】
また、空気調和機では、その使用時にクロスフローファンが回転し、そのときの振動がネジを緩ませる原因のひとつとなっていたが、断熱材の取付けにネジを全く使用していないので、ネジの緩みも全くない。また、ネジを使用していないので、廃棄時などに外装体と断熱材とを分別する場合も、断熱材の取外しをドライバーなしに行え、更に断熱材の取付けに接着剤も使用していないので断熱材を外し易く、断熱材の取外しや分別作業も非常に容易である。
【００２７】
【００２８】
【００２９】
【００３０】
【発明の効果】
この発明によれば、断熱材を止め部や押え部で収納空間に面した外装体に取付けているので、ドライバーなどを使用してネジ止めしていたものに比べて、組立作業性を向上させることができる。また、廃棄時においても、ドライバーなどの工具を使用することなしに種類の違う材料である断熱材を分離し、分別することができるので、廃棄物の分別収集などを容易にすることができる。
【図面の簡単な説明】
【図１】  この発明の空気調和機の室内機を示す断面図である。
【図２】  同空気調和機の室内機を示す背面図である。
【図３】  同空気調和機の収納空間に取付けられる断熱材の正面図である。
【図４】  外装体の止め部と断熱材との関係を説明する断面図である。
【図５】  配管押えが外装体に取付けられた状態を示す説明図である。
【図６】  補助配管押えと背面側の外装体との関係を示す説明図である。
【符号の説明】
１          室内機（空気調和機）
２Ｃ        外装体
２Ｄ        止め部
４          熱交換器
１０        収納空間
１１        断熱材
１２        補助配管押え
１２Ｂ      太い軸（押え部）
１３        補助冷媒管
１４        配管押え
１５        押え部
２０        止め部
【図１】
0003717611.tif 000002
【図２】
0003717611.tif 000003
【図３】
0003717611.tif 000004
【図４】
0003717611.tif 000005
【図５】
0003717611.tif 000006
【図６】
0003717611.tif 000007